【手続補正書】
【提出日】平成26年5月14日(2014.5.14)
【手続補正１】
【補正対象書類名】特許請求の範囲
【補正対象項目名】全文
【補正方法】変更
【補正の内容】
【特許請求の範囲】
【請求項１】
試料準備のためのラボラトリ用計器（１００、２００、３００、４００、５００）であって、保護壁（１０１、１０２、１０３、１０４、１０５、１０６）で囲まれる作業コンパートメント（１３０、２３０、３３０、５３０）を有する基部ハウジング（１１０、２１０）と、前記基部ハウジング（１１０、２１０）上において枢動するように支持され回転軸（１２１、２２１、５２１）まわりに回転することができる少なくとも１つの多機能作業ヘッド（１２０、２２０、３２０、５２０）とを備え、前記作業ヘッドが、少なくとも２つの画成された機能位置（１２２、１２３、１２４）を有し、前記多機能作業ヘッド（１２０、２２０、３２０、５２０）の回転によって、前記機能位置（１２２、１２３、１２４）のそれぞれが前記作業コンパートメント（１３０、２３０、３３０、５３０）内に配置される少なくとも１つの容器プラットフォーム（１３１、２３１、３３１、５３１）と整列可能になり、第１の機能位置（１２２、１２３、１２４）が、自由流動用量材料を有する用量分注装置（１４０、２４０、３４０）を保持する働きをする受容装置（１２６、３２６）を含み、他の機能位置（１２２、１２３、１２４）のそれぞれがさらに他の装置を含む、ラボラトリ用計器（１００、２００、３００、４００、５００）であり、前記保護壁（１０１、１０２、１０３、１０４、１０５、１０６）の少なくとも１つが切り欠き（１０９、２０９、３０９、５０９）を有し、前記少なくとも１つの多機能作業ヘッド（１２０、２２０、３２０、５２０）が、前記切り欠き（１０９、２０９、３０９、５０９）に部分的に配置され、前記多機能作業ヘッドの一部が前記作業コンパートメント（１３０、２３０、３３０、５３０）の外部にあり、他の部分が前記作業コンパートメント（１３０、２３０、３３０、５３０）の内部にあり、他の装置が、容量分注装置（１４０，２４０，３４０，３４１）を受容する他の受容装置または異なる機能を有する装置（１２７，１２８，２０９，３４１，３４５）を備えることを特徴とする、ラボラトリ用計器（１００、２００、３００、４００、５００）。
【請求項２】
秤量セル（２３４）が前記基部ハウジング（１１０、２１０）内に配置され、前記少なくとも１つの容器プラットフォーム（１３１、２３１、３３１、５３１）が力伝達連結によって前記秤量セル（２３４）に結合されることを特徴とする、請求項１に記載のラボラトリ用計器（１００、２００、３００、４００、５００）。
【請求項３】
前記少なくとも１つの多機能作業ヘッド（１２０、２２０、３２０、５２０）の前記回転軸（１２１、２２１、５２１）が、水平方向または垂直方向に向けられることを特徴とする、請求項１または２に記載のラボラトリ用計器（１００、２００、３００、４００、５００）。
【請求項４】
前記少なくとも１つの切り欠き（１０９、２０９、３０９、５０９）が、少なくとも２つの隣接する保護壁（１０１、１０２、１０３、１０４、１０５、１０６）に延在することを特徴とする、請求項１から３の一項に記載のラボラトリ用計器（１００、２００、３００、４００、５００）。
【請求項５】
前記少なくとも１つの多機能作業ヘッド（１２０、２２０、３２０、５２０）が、前記切り欠き（１０９、２０９、３０９、５０９）の開口の少なくとも一部を解放するように、直線的な滑動運動および／または枢動運動をすることができることを特徴とする、請求項１から４の一項に記載のラボラトリ用計器（１００、２００、３００、４００、５００）。
【請求項６】
前記少なくとも１つの多機能作業ヘッド（１２０、２２０、３２０、５２０）が、前記切り欠き（１０９、２０９、３０９、５０９）の前記開口の少なくとも一部を解放するように働くアクセスクリアランス（２２５）を有するさらに他の機能位置を備えることを特徴とする、請求項１から４の一項に記載のラボラトリ用計器（１００、２００、３００、４００、５００）。
【請求項７】
前記少なくとも１つの多機能作業ヘッド（１２０、２２０、３２０、５２０）が、前記回転軸（１２１、２２１、５２１）に沿って直線的な滑動運動をすることができ、前記回転軸（１２１、２２１、５２１）と直交するように向けられる第１の面（５１３）と少なくとも第２の面（５１４）を備え、少なくとも第１の機能位置（５２２）が前記多機能作業ヘッド（１２０、２２０、３２０、５２０）の前記第１の面（５１３）内に形成され、さらに他の機能位置（５２５）が前記多機能作業ヘッド（１２０、２２０、３２０、５２０）の前記少なくとも第２の面（５１４）内に形成されることを特徴とする、請求項１から６の一項に記載のラボラトリ用計器（１００、２００、３００、４００、５００）。
【請求項８】
密封装置（３４６、３４７、５４７）が、前記切り欠き（１０９、２０９、３０９、５０９）の領域に配置されることを特徴とする、請求項１から７の一項に記載のラボラトリ用計器（１００、２００、３００、４００、５００）。
【請求項９】
前記密封装置（３４６、３４７、５４７）が、前記保護壁（１０１、１０２、１０３、１０４、１０５、１０６）と前記少なくとも１つの多機能作業ヘッド（１２０、２２０、３２０、５２０）の間に配置される、弾性密封ストリップ（３４６）、密封ブラシまたは密封ローラであることを特徴とする、請求項８に記載のラボラトリ用計器（１００、２００、３００、４００、５００）。
【請求項１０】
前記密封装置（３４６、３４７、５４７）が、前記切り欠き（１０９、２０９、３０９、５０９）を完全に覆うボンネット（３４７、５４７）または蓋であり、前記作業コンパートメント（１３０、２３０、３３０、５３０）の外部にある、前記少なくとも１つの多機能作業ヘッド（１２０、２２０、３２０、５２０）の部分の上にかかることを特徴とする、請求項８または９に記載のラボラトリ用計器（１００、２００、３００、４００、５００）。
【請求項１１】
前記密封装置（３４６、３４７、５４７）の領域には、前記多機能作業ヘッド（１２０、２２０、３２０、５２０）および／または前記密封装置（３４６、３４７、５４７）を清浄するように働く清浄化装置（４８１）が配置されることを特徴とする、請求項８から１０の一項に記載のラボラトリ用計器（１００、２００、３００、４００、５００）。
【請求項１２】
前記少なくとも１つの多機能作業ヘッド（１２０、２２０、３２０、５２０）の基本的な形が円筒形であることを特徴とする、請求項１から１１の一項に記載のラボラトリ用計器（１００、２００、３００、４００、５００）。
【請求項１３】
前記さらに他の装置が、用量分注装置（１４０、２４０、３４０）のためのさらに他の受容装置（１２６、３２６）、又は前記容器プラットフォーム（１３１、２３１、３３１、５３１）上の目標容器（１６０、３６０、４６０）を識別かつ／もしくは位置決めする電気光学ユニット（３４５、３５６）、又は目標容器（１６０、３６０、４６０）の閉鎖シール（１６１）を除去または装着する装置、又は物体を把持する働きをする把持部、又は液体用用量分注装置（３４１）、又は液体用用量分注装置（３４１）もしくは液体用用量分注装置（３４１）の少なくとも出口開口のための受容装置（１２６、３２６）、又は静電荷を検出する働きをするセンサ、又はイオン化装置、又は識別装置、又は距離センサ（３４５、３５６）、又は清浄化装置（４８１）であることを特徴とする、請求項１から１２の一項に記載のラボラトリ用計器（１００、２００、３００、４００、５００）。
【請求項１４】
前記少なくとも１つの多機能作業ヘッド（１２０、２２０、３２０、５２０）が、供給源容器（３４４）または連結導管（３４２）のための少なくとも１つのコネクタ領域（３４３）を備えることを特徴とする、請求項１から１３の一項に記載のラボラトリ用計器（１００、２００、３００、４００、５００）。
【請求項１５】
前記少なくとも１つの多機能作業ヘッド（１２０、２２０、３２０、５２０）が、前記容器プラットフォーム（１３１、２３１、３３１、５３１）に対して垂直方向に上下に動かされることがさらに可能であるように前記基部ハウジング（１１０、２１０）上に配置されることを特徴とする、請求項１から１４の一項に記載のラボラトリ用計器（１００、２００、３００、４００、５００）。
【請求項１６】
前記切り欠き（１０９、２０９、３０９、５０９）を備える前記少なくとも１つの保護壁（１０１、１０２、１０３、１０４、１０５）が、前記少なくとも１つの多機能作業ヘッド（１２０、２２０、３２０、５２０）と一緒に垂直方向に動くことができることを特徴とする、請求項１５に記載のラボラトリ用計器（１００、２００、３００、４００、５００）。
【請求項１７】
前記容器プラットフォーム（１３１、２３１、３３１、５３１）が、前記少なくとも１つの多機能作業ヘッド（１２０、２２０、３２０、５２０）に対して垂直運動ができるように配置されることを特徴とする、請求項１から１６の一項に記載のラボラトリ用計器（１００、２００、３００、４００、５００）。